(57)【特許請求の範囲】
【請求項１】
加熱源を臨ませる複数のコンロ開口を開設したガラス板を備え、各コンロ開口に、該各コンロ開口内に周囲の隙間を存して挿入される筒部と、ガラス板の上面と下面に対向する、筒部を介して連結される上下のフランジ部とを有する各保護リングを装着して成るコンロ用のガラス天板において、
前記複数のコンロ開口に装着する複数の保護リングを、これら保護リングの下フランジ部において相互に連結することを特徴とするコンロ用ガラス天板。
【請求項２】
前記複数の保護リングの下フランジ部を、前記ガラス板の下面側に配置する共通の板材で一体に形成することを特徴とする請求項１に記載のコンロ用ガラス天板。
【請求項３】
請求項１または２に記載のガラス天板を具備するコンロであって、前記ガラス板上に、前記各コンロ開口を囲うようにして各五徳を載置するものにおいて、
各五徳を前記各保護リングの上フランジ部に対し相対移動しないように係止することを特徴とするコンロ。
【請求項４】
請求項１または２に記載のガラス天板を具備するコンロであって、前記ガラス板上に、前記各保護リングを覆う各カバーリングを設けると共に、前記各コンロ開口を囲うようにして各五徳を載置するものにおいて、
各カバーリングを各保護リングの上フランジ部に対し相対移動しないように係止すると共に、各五徳を各カバーリングに対し相対移動しないように係止することを特徴とするコンロ。
【発明の詳細な説明】
【０００１】
【発明の属する技術分野】
本発明は、バーナ等の加熱源を臨ませる複数のコンロ開口を開設したガラス板を備え、各コンロ開口に各保護リングを装着して成るコンロ用のガラス天板及びこのガラス天板を具備するコンロに関する。
【０００２】
【従来の技術】
ガラス天板は外観性、清掃性に優れているが、ガラス板に開設するコンロ開口の開口縁は衝撃に弱いため、従来、コンロ開口に金属製の保護リングを装着して、開口縁を保護するようにしたものが知られている。
【０００３】
ここで、保護リングは、コンロ開口内に挿入される筒部と、ガラス板の上面と下面に対向する、筒部を介して連結される上下のフランジ部とを備えている。そして、筒部は、熱膨張でコンロ開口の開口縁に圧接することを防止するため、周囲に隙間を存した状態でコンロ開口に挿入されるようになっている。また、上フランジ部と下フランジ部は、それぞれパッキンを介してガラス板の下面と上面に着座させている。
【０００４】
【発明が解決しようとする課題】
上記従来の保護リングは、筒部とコンロ開口の開口縁との間に隙間が存在するため、ガラス板に対し動く。そして、保護リングのずれにより、パッキンが擦られてその摩耗を生じやすくなる。
また、ガラス板上に載置する五徳を保護リングに対し相対移動しないように係止しても、保護リングと一緒に五徳が動くことになる。特に、保護リングの回動は規制できず、五徳上で鍋を回動するように揺すった場合、五徳も回動することになり、使用者に違和感を与える。
【０００５】
本発明は、以上の点に鑑み、ガラス板に対する保護リングの動きを規制し得るようにしたガラス天板及びこのガラス天板を利用して五徳が動かないようにしたコンロを提供することをその課題としている。
【０００６】
【課題を解決するための手段】
上記課題を解決するため、本発明によれば、加熱源を臨ませる複数のコンロ開口を開設したガラス板を備え、各コンロ開口に、該各コンロ開口内に周囲の隙間を存して挿入される筒部と、ガラス板の上面と下面に対向する、筒部を介して連結される上下のフランジ部とを有する各保護リングを装着して成るコンロ用のガラス天板において、  前記複数のコンロ開口に装着する複数の保護リングを、これら保護リングの下フランジ部において相互に連結している。
【０００７】
上記の構成によれば、各保護リングが回動しようとしても、これに連結される他の保護リングが対応するコンロ開口の開口縁に当接して、各保護リングの回動が阻止される。また、複数の保護リングが個々独立している場合と異なり、各保護リングとガラス板との間に働く摩擦力を複数の保護リングについて合計した力が各保護リングのずれに対する抵抗力になる。従って、ガラス板に対する各保護リングの動きを有効に規制できる。
【０００８】
ところで、複数の保護リングの下フランジ部同士を棒材で連結することも考えられるが、これでは部品点数が増してコストが高くなる。これに対し、複数の保護リングの下フランジ部を、ガラス板の下面側に配置する共通の板材で一体に形成すれば、部品点数を削減してコストダウンを図ることができ、有利である。
【０００９】
ここで、ガラス天板のガラス板上に各コンロ開口を囲うようにして各五徳を載置するコンロにおいて、上記本発明のガラス天板を用い、各五徳を各保護リングの上フランジ部に対し相対移動しないように係止すれば、ガラス板に対する各五徳の動きを規制でき、五徳上で鍋を回動するように揺すっても、五徳は回動せず、使用者に違和感を与えることはない。
【００１０】
尚、ガラス板上に、五徳に加えて、各保護リングを覆う各カバーリングを設けることもあり、この場合は、五徳を保護リングの上フランジ部に直接係止しなくても、各カバーリングを各保護リングの上フランジ部に対し相対移動しないように係止すると共に、各五徳を各カバーリングに対し相対移動しないように係止することで、ガラス板に対する各五徳の動きを規制できる。
【００１１】
【発明の実施の形態】
図１は、ガラス天板１を備えるコンロを示している。ガラス天板１は、セラミックガラスから成るガラス板２とガラス板２を囲う金属製の外枠３とで構成され、外枠３を介して支持体（ビルトイン式コンロではカウンタトップ、卓上式コンロではコンロ本体）に支持される。
【００１２】
ガラス板２には、加熱源たるバーナ４を臨ませる左右両側と後部中央の計３個のコンロ開口５が開設されており、ガラス板２上に各コンロ開口５を囲うようにして各五徳６を載置している。
【００１３】
ここで、各コンロ開口５には、その開口縁を保護するため、図２に示す如く、ステンレス等の金属製の保護リング７が装着されている。保護リング７は、コンロ開口５内に周囲の隙間を存して挿入される筒部７０と、ガラス板２の上面に対向する上フランジ部７１と、ガラス板２の下面に対向する下フランジ部７２とを有する。筒部７０は、上フランジ部７１に一体の内筒７０ａと下フランジ部７２に一体の外筒７０ｂとの内外２重構造になっている。そして、外筒７０ｂの周方向複数箇所に、内方に突出する切り出し爪７０ｃを形成すると共に、内筒７０ａの周方向複数箇所に係合孔７０ｄを形成し、外筒７０ｂに内筒７０ａを内嵌させたとき、各係合孔７０ｄに各切り出し爪７０ｃが係合して、内筒７０ａが外筒７０ｂに不動に係止され、上下のフランジ部７１，７２が筒部７０を介して連結されるようにしている。
【００１４】
また、上フランジ部７１と下フランジ部７２は、ガラス板２の傷つき防止のため、それぞれパッキン７３を介してガラス板２の下面と上面に着座されるようになっている。そして、内筒７０ａを外筒７０ｂに上記の如く係止して保護リング７をコンロ開口５に装着したとき、パッキン７３が圧縮されて、パッキン７３とガラス板２との間に働く摩擦力によりガラス板２に対する保護リング７の動きが或る程度制止されるようにしている。尚、上フランジ部７１とガラス板２の上面との間に開設するパッキン７３は２枚重ねにしている。また、ガラス板２上に、各保護リング７を覆う煮こぼれ対策用の各カバーリング８を設けている。
尚、図２に示したコンロの左側のバーナ４は、環状のバーナ本体４ａに形成した内向きの炎孔４ｂからの炎をバーナ本体４ａの上方に配置したガイド４ｃを介してカバーリング８の内周空間に導く内炎式バーナで構成されている。また、コンロの奥側のバーナ４も内炎式バーナであるが、コンロの右側のバーナ４は、鍋底温度センサ４ｄ付の外炎式バーナで構成されている。
【００１５】
五徳６は、ガラス板２に着座する、丸棒材で形成される円環状の五徳枠６０と、五徳枠６０に固着した複数、例えば６個の五徳爪６１とで構成されている。また、保護リング７の上フランジ部７１に、五徳爪６１と等ピッチで６個の係合孔７１ａを形成すると共に、各五徳爪６１に下方にのびる突起６１ａを形成し、各突起６１ａをカバーリング８に五徳爪６１と等ピッチで形成した各透孔８ａを通して各係合孔７１ａに係合させることにより、五徳６を保護リング７の上フランジ部７１に対し相対移動しないように係止している。
【００１６】
然し、保護リング７は、その筒部７０とコンロ開口５の開口縁との間の隙間分だけパッキン７３の摩擦力に抗して動き得るため、五徳６上で鍋を動かしたとき、五徳６を介して保護リング７がずれ、このずれによりパッキン７３がコンロ開口５の開口縁のエッジで擦られて摩耗する。また、五徳６上で鍋を回動するように揺すると、五徳６が保護リング７と一緒に回動し、使用者に違和感を与える。
【００１７】
そこで、本実施形態では、図３に明示する如く、ガラス板２の下面側に３個のコンロ開口５の開設箇所に跨って延在する板材７４を配置し、これらコンロ開口５に装着する３個の保護リング７の下フランジ部７２を板材７４で一体に形成している。これによれば、３個の保護フランジ７が下フランジ部７２において板材７４を介して相互に連結されることになり、各保護リング７とガラス板２との間に働く摩擦力を３個の保護リング７について合計した力が各保護リング７のずれに対する抵抗力になる。そのため、ガラス板２に対する各保護リング７のずれを抑制して、パッキン７３の摩耗を効果的に防止できる。また、各保護リング７が回動しようとしても、これに連結される他の保護リング７が対応するコンロ開口５の開口縁に当接して、各保護リング７の回動が阻止される。従って、五徳６上で鍋を回動するように揺すっても、五徳６は回動せず、使用者に違和感を与えることはない。
【００１８】
ところで、ガラス板２は、コンロ内部が見えないように濃色に着色されているが、コンロの周囲からの光がコンロ内に入ってガラス板２に達すると、ガラス板２が部分的に明るくなり、使用者に不安感を与える。また、ガラス板２の上面は、強化コーティングが施されていて衝撃に強いが、ガラス板２の下面は衝撃に対し弱い。この場合、板材７４をガラス板２の下面の略全域に亘って延在させておけば、ガラス板２の下方からの光に対する遮光及びガラス板２の下面の保護にも役立つ。
【００１９】
ところで、上記実施形態では、五徳６を保護リング７の上フランジ部７１に対し相対移動しないように係止する係止手段を、上フランジ部７１に形成した係合孔７１ａとこれに係合する五徳爪６１の突起６１ａとで構成したが、このものでは、煮こぼれが係合孔７１ａから保護リング７とガラス板２との間に侵入してしまうことがある。
【００２０】
ここで、複数の保護リング７を下フランジ部７２において相互に連結して、各保護リング７の動きを規制できるようにしておけば、カバーリング８を保護リング７の上フランジ部７１に対し相対移動しないように係止し、五徳６をカバーリング８に対し相対移動しないように係止することで、上記実施形態と同様に五徳６の動きを規制できる。図４及び図５はこのような実施形態を示している。このものでは五徳６を５本爪タイプのものとしており、保護リング７の上フランジ部７１の外周を角形、例えば十角形に形成すると共に、カバーリング８に下方に屈曲する切り起し片８ｂを周方向に等ピッチで５個形成し、これら切り起し片８ｂを保護リング７の上フランジ部７１の外周の一つ置きの計５つの辺に係合させて、カバーリング８を保護リング７の上フランジ部７１に対し相対移動しないように係止している。そして、カバーリング８に、切り起し片８ｂを係合させる上フランジ部７１の外周の辺の間の辺の外方に位置する計５個の係合孔８ｃを形成し、各五徳爪６１に形成した突起６１ａを各係合孔８ｃに係合させて、五徳６をカバーリング８に対し相対移動しないように係止している。これによれば、保護リング７の上フランジ部７１に係合孔７１ａを形成せずに済むため、煮こぼれが保護リング７とガラス板２との間に侵入することはない。
【００２１】
尚、カバーリング８の外周を保護リング７の上フランジ部７１の角形の外周形状に嵌る角形形状に形成して、カバーリング８を保護リング７の上フランジ部７１に対し相対移動しないように係止すると共に、五徳６にカバーリング８の外周の各辺に接する当接部を形成して、五徳６をカバーリング８に対し相対移動しないように係止することも可能である。また、カバーリング８を省略する場合、五徳６に保護リング７の上フランジ部７１の角形の外周の各辺に接する当接部を形成して、五徳６を保護リング７の上フランジ部７１に相対移動しないように係止しても良い。
【図面の簡単な説明】
【図１】本発明コンロの一例の平面図。
【図２】図１のＩＩ―ＩＩ線拡大切断面図。
【図３】図１のコンロのガラス天板部分の分解斜視図。
【図４】他の実施形態の要部の拡大平面図。
【図５】図４のＶ―Ｖ線切断面図。
【符号の説明】
１…ガラス天板  ２…ガラス板  ４…バーナ（加熱源）  ５…コンロ開口  ６…五徳  ７…保護リング  ７０…筒部  ７１…上リング  ７２…下リング  ７４…板材  ８…カバーリング
【図１】
0003773874.tif 000002
【図２】
0003773874.tif 000003
【図３】
0003773874.tif 000004
【図４】
0003773874.tif 000005
【図５】
0003773874.tif 000006